(57)【要約】      （修正有）【課題】送風機の駆動音よる騒音の放散を抑制して、騒音値を低減する送風装置を提供する。【解決手段】外板パネル１２の内側に配設された送風機８を有し、送風機８によって外板パネル１２に形成された吸込口１２ａから外の空気を吸引して吹出口から送風する送風装置１であって、吸込口１２ａは、外板パネル１２における送風機８に対面する対面領域９ではなく、対面領域９よりも外側の領域に配設したことで、吸込口１２ａを外板パネル１２における送風機８に対面する対面領域に配設した場合よりも、送風機８の駆動音が吸込口１２ａから外に抜けにくくすることができる。【選択図】図３
2017072320.tif 000002
【特許請求の範囲】
【請求項１】
外板パネルの内側に配設された送風機を有し、
前記送風機によって前記外板パネルに形成された吸込口から外の空気を吸引して吹出口から送風する送風装置であって、
前記吸込口は、前記外板パネルにおける前記送風機に対面する対面領域ではなく、前記対面領域よりも外側の領域に配設したこと、
を特徴とする送風装置。
【請求項２】
前記外板パネルは、上下方向に伸びて配設された前面パネルであり、
前記送風機は、当該送風機の回転軸が上下方向に沿って配設されていること、
を特徴とする請求項１に記載の送風装置。
【請求項３】
負イオンを含むミストを発生させるミスト発生装置をさらに備え、
前記送風機によって前記ミストを前記吸込口から吸入した外の空気に乗せて前記吹出口から放出すること、
を特徴とする請求項１または請求項２に記載の送風装置。
【請求項４】
前記外板パネルは、前記吸込口がよろい状に形成されたよろい戸であること、
を特徴とする請求項１から請求項３のいずれか１項に記載の送風装置。
【発明の詳細な説明】
【技術分野】
【０００１】
本発明は、送風装置に係り、特に、ミスト発生装置を備えた送風装置に関する。
【背景技術】
【０００２】
従来、マイナスイオン（負イオン）を含むナノミストを発生させるミスト発生部と、このナノミストを送風口から放出する送風機と、を備えた多機能型の加湿装置が知られている（例えば、特許文献１）。加湿装置は、ナノミストによって室内の空気に含まれる塵や埃、臭気等を除去して浄化して適度に加湿したきれいな空気を室内に放出する。
【０００３】
特許文献１に記載さたれた加湿装置は、送風機（１６）が前面部の下方に配設された下面パネル（５）の内側に配設され、器具本体の底面パネルに形成された吸込口（１８）から吸い込んだ室内空気をミスト発生部で加湿するとともに浄化して送風口から放出するようになっている。
【先行技術文献】
【特許文献】
【０００４】
【特許文献１】特開２０１４−２１７８１０号公報（段落００１５、図２参照）
【発明の概要】
【発明が解決しようとする課題】
【０００５】
しかしながら、特許文献１に記載の加湿装置は、器具本体の底面パネルに形成された吸込口（１８）から送風機の駆動音が室内に放散され、騒音を発生するという問題があった。また、送風機のすぐ近傍、つまり底面パネルにおける送風機に対面する領域に吸込口（１８）が設けられているため、送風機の駆動音が吸込口から外に抜けやすいという問題があった。
【０００６】
特に、例えば室内空間側に向けて上下方向に伸びて配設される下面パネル（５）等の前面パネルに室内空気の吸込口を設けようとすると吸込口から放散された駆動音が床面で吸収されることなく直接室内に拡散されて、騒音値が増大するという問題があった。
【０００７】
本発明は、このような背景に鑑みてなされたものであり、送風機の駆動音よる騒音の放散を抑制することができる送風装置を提供することを課題とする。
【課題を解決するための手段】
【０００８】
前記課題を解決するため、請求項１に係る発明は、外板パネルの内側に配設された送風機を有し、前記送風機によって前記外板パネルに形成された吸込口から外の空気を吸引して吹出口から送風する送風装置であって、前記吸込口は、前記外板パネルにおける前記送風機に対面する対面領域ではなく、前記対面領域よりも外側の領域に配設したこと、を特徴とする。
【０００９】
ここで、対面領域とは、送風機の外観形状が外板パネルに投影される領域をいう。「外の空気」は、外板パネルを基準にして外板パネルよりも外側の空気をいい、通常は室内で使用されるため「室内の空気」を意味する。
【００１０】
かかる構成により、本発明に係る送風装置は、前記吸込口を前記対面領域よりも外側の領域に配設したことで、吸込口を前記外板パネルにおける前記送風機に対面する対面領域に配設した場合よりも、送風機の駆動音が吸込口から外に抜けにくくすることができる。
【００１１】
つまり、吸込口を前記外板パネルにおける前記送風機に対面する対面領域に配設した場合には、送風機の近傍に吸込口が配設された状態となるので、送風機から発せられる駆動音が直接短距離で吸込口に到達して、駆動音が吸込口から抜けやすくなることが想定される。
【００１２】
一方、本発明に係る送風装置は、前記吸込口を前記対面領域よりも外側の領域に配設したことで、駆動音を発する送風機からできるだけ遠くなるように吸込口を配設することができるため、送風装置のコンパクト化とともに騒音値を低減することができる。
【００１３】
本発明の請求項２に係る発明は、請求項１に記載の送風装置であって、前記外板パネルは、上下方向に伸びて配設された前面パネルであり、前記送風機は、当該送風機の回転軸が上下方向に沿って配設されていること、を特徴とする。
【００１４】
かかる構成により、請求項２に係る発明において、前記外板パネルは、上下方向に伸びて配設された前面パネルであるため、前面パネルに吸込口を設けた場合には、底面パネルに吸込口を設けた場合に比べて、吸込口から放散された駆動音が床面で吸収されることなく直接室内の使用者に届きやすくなり騒音値が増大するところ、請求項２に係る発明は、前記吸込口を前記対面領域よりも外側の領域に配設したことで、騒音値を効果的に低減することができるため、特に好適である。
また、当該送風機の回転軸が上下方向に沿って配設されていることで、前面パネルから吸い込まれた空気が送風機に円滑に導入されるため、円滑な空気の流れを確保することができる。
【００１５】
本発明の請求項３に係る発明は、請求項１または請求項２に記載の送風装置であって、マイナスイオンを含むミストを発生させるミスト発生装置をさらに備え、前記送風機によって前記ミストを前記吸込口から吸入した外の空気に乗せて前記吹出口から放出すること、を特徴とする。
【００１６】
かかる構成により、請求項３に係る発明は、ミスト発生装置で発生させたミストを送風機によって前記吹出口から放出するため、特に微細なミストを生成する場合には送風機の回転速度が高くなり、駆動音が増大するので、特に好適に適用することができる。
【００１７】
本発明の請求項４に係る発明は、請求項１から請求項３のいずれか１項に記載の送風装置であって、前記外板パネルは、前記吸込口がよろい状に形成されたよろい戸であること、を特徴とする。
【００１８】
かかる構成により、請求項４に係る発明において、前記外板パネルは、前記吸込口がよろい状に形成されたよろい戸であることで、デザイン性を高めるとともに騒音の拡散を抑制して送風機の駆動音をより効果的に低減することができる。
【発明の効果】
【００１９】
本発明に係る送風装置は、送風機の駆動音よる騒音の放散を抑制して、騒音値を低減することができる。
【図面の簡単な説明】
【００２０】
【図１】本発明の実施形態に係る加湿装置の外観を示す斜視図である。
【図２】本発明の実施形態に係る加湿装置の構成を示す模式図である。
【図３】本発明の実施形態に係る送風機の構成を示す斜視図であり、（ａ）は加湿装置の前面中パネルの内側に配置した状態、（ｂ）は送風機の外観を示す。
【図４】本発明の実施形態に係る送風機の構成を示す図であり、（ａ）は平面図、（ｂ）は正面断面図である。
【図５】本発明の実施形態に係る送風機の動作を示す側面断面図であり、（ａ）は駆動モータの回転軸が垂直方向に配設された遠心送風機、（ｂ）は駆動モータの回転軸が水平方向に配設された軸流送風機を示す。
【発明を実施するための形態】
【００２１】
本発明の実施形態に係る送風装置である多機能型の加湿装置１の構成について適宜図１から図５を参照しながら詳細に説明する。
図１に示す加湿装置１は、室内の空気を加湿するための空気調和装置である。図２は、加湿装置１の構成を模式的に示す図であり、図２における各構成品の前後左右の配置位置は特に限定されるものではない。
【００２２】
図２に示すように、加湿装置１は、送風機８によって吸込口から外の空気を吸引して吹出口２ａから送風する送風装置であり、水を貯留する貯水槽３と、貯水槽３内の貯水を微細な水滴にするミスト発生装置４と、その微細な水滴を装置本体２の吹出口２ａから外部へ放出させる送風機８と、を有しているものであればよく、加湿装置１の型式、構造、加湿方式、装置本体２の形状は特に限定されない。以下、その一例として貯水槽３内の貯水を破砕してナノミスト及び負イオンを発生させるミスト発生装置４を備えた加湿装置１を例に挙げて説明する。
【００２３】
加湿装置１は、装置本体２と、水を貯留する給水タンクＴ１と、給水タンクＴ１から供給された水を貯留する貯水槽３と、貯水槽３内の水から微細な水滴を発生させるミスト発生装置４と、室内の空気を吸引してミスト発生装置４に送る送風機８と、ミスト発生装置４で生成された微細な水滴を気液分離する気液分離部５と、貯水槽３内の残水を貯留するための排水タンクＴ２と、排水タンクＴ２を取り外し自在に載置した引出トレー６と、引出トレー６の移動をガイドするスライドレール７と、を備えている。
【００２４】
加湿装置１は、風邪、インフルエンザ対策、静電防止をする加湿器としての機能と、気中の匂いを消臭する消臭機能と、空気中のカビ等を抑制する除菌機能と、空気中に含まれる花粉、黄砂等の塵挨を除去する空気清浄機の機能と、負イオンを発生する負イオン発生機の機能と、水が無くなった給水タンクＴ１の排水、除菌、乾燥を行うクリーニング機能と、を有している。加湿装置１は、装置本体２の下面にロック機構付きのキャスター１７を有する移動可能な床置式の装置である。加湿装置１は、例えば、水を加湿させる１時間あたり加湿量が１８００ｍＬ／ｈの加湿能力を備え、適応床面積が８２ｍ２で、最大加湿量で連続して８時間使用可能で、最長で１６時間運転可能である。
【００２５】
＜装置本体＞
図１に示すように、装置本体２は、骨格を形成するフレーム部材２０と、外板パネルである前面側に設置された前面下パネル１１、前面中パネル１２、及び前面上パネル１３と、上面に設置された上面パネル１４と、左右側面に設置された側面パネル１５と、後面に設置された後面パネル１６と、を備えている。装置本体２は、上下方向に長い直方体に形成されている。
【００２６】
図２に示すように、装置本体２には、装置本体２の下端部に水平に設けられた底板２１と、底板２１に載置された給水タンクＴ１の上方に水平に設けられた中ベース２２と、ミスト発生装置４が載設されるミスト発生装置載設ベース２３と、ミスト発生装置載設ベース２３から下方向に延設された中仕切板２４と、ミストモータ４３が載設されたモータ載設ベース２５と、操作部１８の下方に配置された上ベース２６と、が設けられている。底板２１、中ベース２２、ミスト発生装置載設ベース２３、中仕切板２４、モータ載設ベース２５、及び、上ベース２６は、装置本体２内に横設あるいは縦設された金属製の板材から成る。装置本体２内は、これらの部材によって、給排水タンク収容室１ａと、送風機収容室１ｂと、ミスト発生装置空気供給路１ｃと、ミスト発生装置収容部１ｄと、ナノミスト負イオン送出流路１ｅと、上部空間１ｆと、に区画されている。
【００２７】
図１に示すように、装置本体２のフレーム部材２０は、例えば、左右下端部に前後方向に延設されて、前後左右にキャスター１７が設けられたキャスターベース２０ａと、左右のキャスターベース２０ａの前後から上方向に延設された４本の支柱（図示省略）と、各支柱間に架設された複数の梁部材（図示省略）と、を備えて構成されている。
【００２８】
前面下パネル１１は、例えば、給排水タンク収容室１ａの前側に前面が僅かに斜め上方向を向くように傾斜して設置されたパネル材であり、装置本体２の前面側の下部に配置されている。前面下パネル１１には、引出トレー６の引出扉６１が配置される引出トレー設置孔１１ａと、給水タンクＴ１への給水時に開放される給水扉１１ｂが開閉自在に設けられた給水扉設置孔１１ｃと、給水タンクＴ１内の水量を視認するための水量視認窓１１ｄと、が設けられている。
前面下パネル１１内の給排水タンク収容室１ａには、給水タンクＴ１と、排水タンクＴ２とが独立した状態に配置されている。
【００２９】
引出トレー設置孔１１ａは、例えば、前面下パネル１１の右側に形成された上下方向に長い矩形の孔から成る。
給水扉１１ｂは、５〜１０Ｌ程度の大きさのポリジョッキ（図示省略）を使用して給水タンクＴ１に水を供給する際に開閉されるヒンジタイプの扉である。給水扉１１ｂは、例えば、略正方形の金属板から成り、左端部が、ヒンジ部材（図示省略）等を介して給水扉設置孔１１ｃの縁に軸支され、右端部が、給水扉設置孔１１ｃの縁に係止及び離脱自在に装着されている。
給水扉設置孔１１ｃは、給水扉１１ｂが合致するように形成された略正方形の孔から成る。給水扉設置孔１１ｃの近傍には、給水タンクＴ１の給水口Ｔ１ａ（図２参照）が配置されている。
水量視認窓１１ｄは、例えば、透明なアクリル板等から成り、前面下パネル１１において、給水タンクＴ１が内設される位置の前側に設置されている。
【００３０】
図１に示すように、前面中パネル１２は、装置本体２の前面中央部に上下方向に伸びて設置される金属製板部材の前面パネルであり、送風機収容室１ｂの（図２参照）の前面側を覆うように設置されている。前面中パネル１２は、室内の空気を取り入れて送風機８に送るための吸込口１２ａが上部によろい状に多数形成されたよろい戸である。
【００３１】
前面上パネル１３は、装置本体２の前面上部に設置される金属製板部材であり、貯水槽３、ミスト発生装置４、及び気液分離部５の前面側を覆うように設置されている（図２参照）。前面上パネル１３の上部には、加湿装置１を操作するための複数の制御スイッチ等が設けられた操作部１８が取り付けられている。
【００３２】
上面パネル１４は、装置本体２の上面に設置される金属製板部材であり、気液分離部５の上部に水平に配置されている（図２参照）。上面パネル１４には、送風機８によって送られて来た空気を放出する吹出口２ａと、吹出口２ａを開閉するルーバー１９と、が設けられている。
【００３３】
図１に示すように、吹出口２ａは、上面パネル１４の前端部寄りの位置に形成された左右方向に長い矩形の孔から成る。
ルーバー１９は、吹出口２ａの後端部側にヒンジ部を介して開閉自在に設けられた左右方向に長い矩形の部材から成る。ルーバー１９は、ルーバー駆動モータ１９ａ（図２参照）によってヒンジ部を中心として上下方向に回動して、吹出口２ａを自動開閉するように構成されている。また、ルーバー１９には、ナノミストと負イオンを含んだ風を左右方向に吹き出す方向を指向させる風向板１９ｂが設けられている。
【００３４】
側面パネル１５は、装置本体２の左右側面全体にそれぞれ設置された金属製板部材から成る。後面パネル１６は、装置本体２の後面全体に設置された金属製板部材から成る。
底板２１は、装置本体２の水平な下面を形成する金属製板部材から成り、左右一対のキャスターベース２０ａ上に架設されている。底板２１上には、給水タンクＴ１と、トレー収容部材２８と、トレー収容部材２８に引出トレー６を介在して載置された排水タンクＴ２と、が配置されている。
【００３５】
＜中ベース＞
図２に示すように、中ベース２２は、ドレンパン２７と、送風機８とが載設される金属製板部材から成る。中ベース２２は、装置本体２内の中央部の下寄りの位置に水平に設置されている。装置本体２内には、収容室１ａと、送風機収容室１ｂと、ミスト発生装置空気供給路１ｃと、が区画されている。
【００３６】
ドレンパン２７は、上方から落下してきた水滴を受け止めるための略皿状の部材である。ドレンパン２７の下面には、このドレンパン２７に溜まった水を給水タンクＴ１内に送るためのドレンパン排水ホース２７ａが接続されている。
【００３７】
＜送風機＞
送風機８は、図２に示すように、吸込口１２ａからフィルタＦを介して室内の空気を吸引してミスト発生装置４に送って、ミスト発生装置４で発生させたナノミスト及び負イオンを含んだ空気を装置本体２の吹出口２ａから外部へ放出させるように空気を送るための送風モータ装置である。
【００３８】
送風機８は、例えば、図３と図４に示すように、略円筒状の案内筒を有する遠心送風機であるシロッコファンを採用する。送風機８は、図５（ａ）に示すように、送風機８の上部に配設された吸入口８２から回転軸８５（図４参照）に沿う方向に吸込んだ室内空気ＡＲを図の右方向（回転軸８５に直交する方向）に送風する。
【００３９】
なお、本実施形態においては、シロッコファンからなる送風機８を採用したが、型式及び形状、置き方や回転軸８５（図４（ｂ）参照）の向き等は特に限定されず、風力や送風方向等の加湿装置の仕様や送風機のレイアウト等を考慮して種々の形態を採用することができ、例えば図５（ｂ）に示すように、軸流送風機であるプロペラファン８Ａを採用してもよい。プロペラファン８Ａは、図５（ｂ）に示すように、図の左側に配設された吸入口８２Ａから回転軸８５Ａに沿う方向に吸込んだ室内空気ＡＲを横方向（回転軸８５に沿う方向）に送風する。
【００４０】
以下の説明において、遠心送風機である送風機８と軸流送風機であるプロペラファン８Ａとは、室内空気ＡＲの吸込み方向に対して吸込んだ室内空気ＡＲの吐出方向が異なるが、同様の構成であるので、送風機８について構成および作用効果を説明し、プロペラファン８Ａの構成については送風機８に付した符号に「Ａ」を付加して表示し（図５（ｂ）参照）重複する詳細な説明は省略し、主として相違する点について説明する。
【００４１】
送風機８は、図４（ｂ）に示すように、外郭を構成するハウジング８１と、ハウジング８１の上部に形成された吸入口８２と、ハウジング８１の側方に形成された吐出口８３と、フレーム部材によってハウジングの上部に支持された駆動モータ８４と、駆動モータ８４の回転軸８５に軸支されたファン８６と、を備えている。
【００４２】
送風機８は、図５（ａ）に示すように、前面中パネル１２の内側に設けられた送風機収容室１ｂに配設されている。そして、前面中パネル１２に設けられた吸込口１２ａは、送風機８に対面する対面領域９ではなく、対面領域９よりも上方である外側の領域に配設されている。
【００４３】
かかる構成により、本発明の実施形態に係る加湿装置１における送風機８は、以下のような作用効果を奏する。つまり、加湿装置１は、送風機８の駆動音Ｎが前面中パネル１２に設けられた吸込口１２ａから外に抜けにくくなるため、加湿装置１が使用される室内における騒音値を低減することができる。また、送風機８の回転軸８５（図４（ｂ）参照）が上下方向に沿って配設されていることで、前面中パネル１２の吸込口１２ａから吸い込まれた空気が送風機８の吸入口８２に円滑に導入されるため、円滑な空気の流れを確保することができる（図５（ａ）参照）。
【００４４】
つまり、吸込口１２ａを前面中パネル１２における送風機８に対面する対面領域９に配設した場合には、送風機８の近傍に吸込口（１２ａ、不図示）が配設された状態となるので、送風機８から発せられる駆動音Ｎが直接短距離で吸込口（１２ａ、不図示）に到達して、駆動音Ｎが吸込口（１２ａ、不図示）から抜けやすくなることが想定されるのに対し、本発明の実施形態に係る加湿装置１は、吸込口１２ａを対面領域９よりも外側の領域に配設したことで、駆動音Ｎを発する送風機８からできるだけ遠くなるように吸込口１２ａを配設して騒音値を低減することができる。
【００４５】
送風機８は、回転軸８５（図４（ｂ）参照）が上下方向に沿って配設されているのに対し（図５（ｂ）参照）、送風機８Ａは、回転軸８５Ａが左右方向に沿って配設されている点で相違する（図５（ｂ）参照）。
【００４６】
つまり、送風機８は、室内空気Ｆを対面領域９よりも上方の吸込口１２ａから送風機８の吸入口８２へ下方に向けて吸い込んで、吐出口８３から図の右方向へ吐出するのに対し、送風機８Ａ（図５（ｂ）参照）は、室内空気ＡＲを対面領域９よりも上方の吸込口１２ａから前面中パネル１２に沿って下方に吸込み、送風機８Ａの吸入口８２Ａへ下方に向けて吸い込んでから、吐出口８３Ａから図の右方向へ吐出する点で相違する。
【００４７】
このため、加湿装置１における送風機８の吸入口８２は、加湿装置１Ａ（図５（ｂ）参照）における送風機８Ａの吸入口８２Ａよりも上方に配設されているため、送風機８は、送風機８Ａよりも室内空気ＡＲを円滑に吸い込むことができる。また、加湿装置１は、加湿装置１Ａよりも送風機８を前面中パネル１２に近づけて配設することができるため、コンパクト化を図ることができる。
【００４８】
図２に示すように、送風機収容室１ｂには、空気清浄用のフィルタＦと、前記送風機８と、が配置されている。送風機８の上方には、送風機収容室１ｂと、ミスト発生装置収容部１ｄと、を区画するミスト発生装置載設ベース２３が配置されている。送風機８の側方の上側寄りには、中仕切板２４が配置されており、この中仕切板２４と、装置本体２の外側パネルと、上ベース２６と、貯水槽３の外周面と、でミスト発生装置空気供給路１ｃを形成する中仕切板２４が配置されている。ミスト発生装置載設ベース２３は、前面中パネル１２の上部から装置本体２内に水平に設けられている。中仕切板２４は、ミスト発生装置載設ベース２３の装置本体２内側の端部に、下方向に垂下した状態に連設されている。
【００４９】
ミスト発生装置空気供給路１ｃには、給水タンクＴ１内の水を貯水槽３に供給する給水路Ｐａと、貯水槽３のオーバーフローした水を給水タンクＴ１に戻すオーバーフロー路Ｐｂと、貯水槽３内の水を排水タンクＴ２に送る排水路Ｐｃと、が配置されている。
給水路Ｐａには、給水タンクＴ１内の水を吸い上げるポンプＰと、その水の流量を計測するフローセンザＣと、が設けられている。
排水路Ｐｃには、この排水路Ｐｃを開閉するための二方弁から成る排水弁Ｖが設けられている。
【００５０】
図２に示すように、排水弁Ｖは、常時閉弁状態に設定されて貯水槽３内の残水の排水を阻止するための弁であり、運転終了時等に開弁されて、貯水槽３内の残水が排水タンクＴ２側に流れるようになっている。
【００５１】
＜ミスト発生装置＞
ミスト発生装置４は、貯水槽３内の貯水を破砕してナノミスト及び負イオンを発生させる装置である。ミスト発生装置４は、水を貯留する貯水槽３と、貯水槽３の開口部を閉塞するモータ載設ベース２５と、貯水槽３内に配置された温水ヒータＨと、運転時に先端が貯水槽３内の水に浸した状態になるように配置された回転体４１と、回転体４１の上部周辺に配置された多孔体４２と、回転体４１を回転駆動させるミストモータ４３と、モータ軸４４と、モータ載設ベース２５から垂下した仕切４５と、仕切４５と貯水槽３の内壁等によって形成されたナノミスト負イオン送出流路１ｅと、サーモスタットＳ２と、水温センサＳ３と、安全サーミスタＳ４と、水位検知センサＳ５，Ｓ６と、を備えて構成されている。
【００５２】
貯水槽３は、ポンプＰによって給水タンクＴ１内から給水路Ｐａを介して供給された水を、予め設定した所定水位だけ貯留するタンクである。貯水槽３内は、貯水槽３の開口部を閉塞したモータ載設ベース２５から貯水槽３内の水面の上方まで垂下した仕切４５によって、空気を加湿、消臭、除菌、空気清浄及び温風にする処理が行われる処理室３ｂと、処理室３ｂ内の加湿された空気が送り出されるナノミスト負イオン送出流路１ｅと、の二つに区画されている。
【００５３】
モータ載設ベース２５は、貯水槽３の開口部上にミストモータ４３を設置するための板部材である。モータ載設ベース２５には、載設したミストモータ４３のモータ軸４４が回転自在に挿入される軸挿入孔と、送風機８から送られて来た空気が流入する空気流入口３ａと、が形成されている。
【００５４】
温水ヒータＨは、吹出口２ａから吐出される空気を室内温度よりも少し高い温度の温風にするために、貯水槽３内の水を加熱して予め設定した温水に保温すること等を行う加熱装置である。温水ヒータＨは、貯水槽３内に貯水された水の温度を検出する水温センサＳ３の検知温度によって、温水ヒータＨがＯＮ／ＯＦＦされることで、貯水槽３の水を所定温度に維持している。
【００５５】
図２に示すように、回転体４１は、上方に向かって径が徐々に拡大するように形成された逆円錐形状の筒状の部材であり、上部全周に不図示の飛散口が多数形成されている。回転体４１は、上面中央部から上方向に延設されたモータ軸４４が設けられ、ミストモータ４３によって回転駆動される。回転中の回転体４１は、遠心力で貯水槽３の水を回転体４１の外壁及び内壁を上方向に伝わって移動するように吸い上げて、回転体４１の上部外壁から水を周囲に飛散させると共に、内壁の上部に押し上げられた水を飛散口（図示省略）から周囲に飛散させるように構成されている。
【００５６】
多孔体４２は、回転体４１の上部外周に所定間隔を介して取り付けられて、回転体４１と一体に回転する円筒状の部材であり、多数の孔から成る多孔部４２ａが形成されている。多孔体４２は、例えば、全周壁に多数のスリットを有する円筒体、円筒状のパンチングメタル、あるいは、円筒状の金網等から成る。多孔体４２は、ミストモータ４３によって回転されたとき、回転体４１の遠心力で外周方向に飛散した水が衝突するように設けられた衝突体でもある。多孔体４２は、内壁面に衝突した水を破砕させたり、多孔部４２ａを通過させて外周面から水及び空気を飛散させたりすることによって、水の粒子を微細化してナノミストを生成すると共に、その水の粒子を１０〜５００ｎｍの分子レベルまで微細化することによるレナード効果で負イオンを発生させるものである。
【００５７】
ミストモータ４３は、回転体４１及び多孔体４２を回転駆動させるための動力源である。ミストモータ４３のモータ軸４４は、回転体４１及び多孔体４２に連結されている。
仕切４５は、貯水槽３内の水面の上方に回転体４１及び多孔体４２が配置されて、それらによってナノミストが生成される処理室３ｂと、そのナノミストが送り出されるナノミスト負イオン送出流路１ｅと、に二分する仕切板部材である。
【００５８】
図２に示すように、ナノミスト負イオン送出流路１ｅは、処理室３ｂ内で生成されたナノミストと負イオンとを、送風機８の駆動で気液分離部５を介して吹出口２ａから放出させるための流通路である。ナノミスト負イオン送出流路１ｅは、貯水槽３の内壁と、仕切４５と、によって形成されて、上方の風路５０を介して吹出口２ａに連通している。
【００５９】
サーモスタットＳ２は、温水ヒータＨによる空焚きを防止するために電源を遮断するものであり、貯水槽３の下部に設けられている。
水温センサＳ３は、前記したように貯水槽３内の水温を検出して温水ヒータＨを制御するセンサである。
安全サーミスタＳ４は、処理室３ｂ内の温度が予め設定した温度を超えた場合に、音を発生させて警報すると共に、送風機８を駆動させて送風によって貯水槽３内を冷却させるためのセンサである。
下側の水位検知センサＳ５は、貯水槽３内の水位を検出して、温水ヒータＨが水から露出する前に温水ヒータＨをＯＦＦにするためのフロートセンサである。
上側の水位検知センサＳ６は、貯水槽３内の水位を検出して、ポンプＰの駆動を制御するためのフロートセンサである。
上ベース２６は、送風機８からの風をミスト発生装置４に送るためのミスト発生装置空気供給路１ｃと、操作部１８等が設置される装置本体２の上部空間１ｆと、を区画する部材である。
【００６０】
＜気液分離部＞
気液分離部５は、ミスト発生装置４で生成された微細な水滴中の比較的大きな水滴を除去するための部位である。気液分離部５は、ナノミスト負イオン送出流路１ｅの上部に連結された風路５０と、風路５０の内壁に突設されて風路５０内の流路を蛇行するように形成するための水滴衝突板５１と、送風サーミスタＳ７と、を備えて構成されている。
【００６１】
風路５０は、下端部がナノミスト負イオン送出流路１ｅに連結され、上端部がルーバー１９に接続されて、上下方向に延設されている。
水滴衝突板５１は、空気中の過大な水滴が衝突することによって、その水滴を貯水槽３内に落下させて戻すための板状部材であり、風路５０の内壁に基端部が接合されている。
送風サーミスタＳ７は、設定した加湿レベルになるように温水ヒータＨをＯＮ／ＯＦＦさせるセンサであり、気液分離部５に設けられている。
【００６２】
［加湿装置の動作］
次に、各図を参照しながら本発明の実施形態に係る加湿装置の動作を説明する。
まず、図１に示す加湿装置１を運転させる前の準備工程として、給水扉１１ｂを開放し、供給する水量を水量視認窓１１ｄで確認しながら、ポリジョッキ（図示省略）を使用して前面下パネル１１の内側にある給水タンクＴ１に水を供給する給水工程を行う。
【００６３】
次に、操作部１８の運転スイッチをＯＮする。すると、図２に示すポンプＰが作動して、給水タンクＴ１内の水を給水路Ｐａを介して貯水槽３内に送り、所定の水量まで供給されると、下側の水位検知センサＳ５が所定水量の水位を検出して、ポンプＰを停止させると共に、温水ヒータＨをＯＮさせる。そして、貯水槽３内の水温が所定温度に達すると、水温センサＳ３がそれを検知し、制御回路を介して温水ヒータＨの通電をＯＦＦすると共に、送風機８、ミストモータ４３、及び、ルーバー駆動モータ１９ａを駆動させる。
【００６４】
送風機８は、室内の空気を吸込口１２ａ、フィルタＦを介して吸引して、ミスト発生装置空気供給路１ｃ、空気流入口３ａ、貯水槽３の処理室３ｂ、ナノミスト負イオン送出流路１ｅ、気液分離部５を介して吹出口２ａから室内に送り戻す。このとき、ルーバー１９は、開放されている。
【００６５】
一方、回転体４１は、ミストモータ４３の駆動によって回転し、所定温度に加熱された貯水槽３内の貯水を、回転の遠心力で外壁及び内壁を伝わって上昇するように吸い上げて、上部の飛散口（図示省略）から外周の多孔体４２に向けて飛散させる。その飛散した水は、回転体４１の上部外周にある多孔体４２の多孔部４２ａに、衝突して破砕されたり、多孔部４２ａを通過して貯水槽３の内壁及び仕切４５に衝突して破砕されたりすることによって、微細化されて、ナノミストに生成される。また、これと同時にレナード効果で負イオンが発生される。
【００６６】
送風機８によって貯水槽３の空気流入口３ａから処理室３ｂ内に送られた空気は、多孔体４２から遠心力で略シャワー状に発生されたナノミストを通過する際に、空気中の菌及び匂いの元となる塵挨、花粉等が水に溶け込んだ状態で、貯水槽３内の水面に振り落とされて貯水される。
【００６７】
また、ナノミストと負イオンが、処理室３ｂ内を下方に向かって流れてナノミスト負イオン送出流路１ｅ内に入り込む際に、大きくて重いナノミストは、貯水槽３内の水面に落下して除去される。その後、微細なナノミストのみと負イオンが、ナノミスト負イオン送出流路１ｅを介して上部の気液分離部５に送られる。気液分離部５では、残存している大きくて重いナノミストが水滴衝突板５１に衝突することによって水滴衝突板５１に付着し、付着した水滴同士が結合して肥大化されると、自重で貯水槽３内の水面に落下して貯留される。
【００６８】
気液分離部５を通過したナノミストは、適温に加熱されて温かく微細化された負イオンを含んだ粒子のみとなって、ルーバー１９によって吹出口２ａから風向板１９ｂ（図１参照）で設定された吹出方向へ放出される。室内に放出されたミストは、室内を循環する際に空気中の微細な塵、挨等を取り込んで再び加湿装置１内に吸い込まれる。これにより、室内の加湿と空気清浄を行うことができる。
【００６９】
吹出口２ａから放出されるナノミスト及び負イオンは、室内の空気中の隅々まで行き渡り、汚れた空気や細菌を抑制し、臭いまでも分解するもので、脱臭効果、除塵効果、除菌効果、加湿効果、空気清浄効果がある。吹出口２ａから放出される空気は、大きなナノミストを除去した微細なナノミストを含んだサラサラで潤いのある空気が放出される。
【００７０】
なお、貯水槽３内の加熱された貯留水は、ミスト発生装置４によってナノミストとして放出されるので減少する。貯水槽３の水位が低下した場合は、上側の水位検知センサＳ６がその水位を検出してポンプＰを駆動させることによって、低下した水位分の水が自動的に貯水槽３内に補水される。このため、貯水槽３内の貯留水は、温水ヒータＨで適温に加熱された水が適量貯留されている。加湿装置１の運転が終了した場合は、排水弁Ｖを開弁して貯水槽３の残水を排水タンクＴ２に送る。
【００７１】
以上、本発明の実施形態について説明したが、本発明は前記した実施形態に限定されず、適宜変更して実施することが可能である。
例えば、本実施形態においては、前面中パネル１２において、吸入口１２ａを対面領域９よりも上方である外側の領域に配設したが、外側の領域は、上方に限定されるものではなく、上下方向の下方であってもよいし、左右方向における外側であってもよい。
【符号の説明】
【００７２】
１      加湿装置（送風装置）
１２    前面中パネル（外板パネル）
１２ａ  吸込口
２      装置本体
２ａ    吹出口
３      貯水槽
４      ミスト発生装置
６      引出トレー
７      スライドレール
８      送風機
８１    ハウジング
８２    吸入口
８３    吐出口
８４    駆動モータ
８５    回転軸
８６    ファン
８Ａ    プロペラファン（送風機）
９      対面領域
【図１】
2017072320.tif 000003
【図２】
2017072320.tif 000004
【図３】
2017072320.tif 000005
【図４】
2017072320.tif 000006
【図５】
2017072320.tif 000007